(57)【特許請求の範囲】
【請求項１】
一の部材と同心に配設された他の部材内に密着する固定密封部と一体成形され前記一の部材に摺動するように設けられたシールリップ部の大気側傾斜面に円周方向に対して一定の傾斜角度をなす複数の突起を設けたオイルシールにおいて、
前記突起は、その両側の側面が、それぞれ傾斜角度の異なる２以上の傾斜側面からなり、先端部の両側の傾斜側面が互いになす角度が、突起の基部側における両側の傾斜側面が互いになす角度より小さいことを特徴とするオイルシール。
【発明の詳細な説明】
【技術分野】
【０００１】
本発明は、オイルシールに係り、更に詳しくは、シールリップ部の傾斜面に突起を設けてオイルを密封対象側に押し戻す作用をするオイルシールに関する。
【背景技術】
【０００２】
従来、例えば図３に示すオイルシール１０１が知られている。このオイルシール１０1は、断面Ｌ字状の金属環１０２と、金属環１０２を被覆するように加硫接着されているゴム状弾性体からなるシール本体１０３とから構成されている。シール本体１０３は、金属環１０２の外周側に位置する固定密封部１０４と、金属環１０２の内周側に位置し先端部にリップエッジ１０５を有するシールリップ部１０６から構成されており、シールリップ部１０６の外周側であって、リップエッジ１０５の反対側には、ガータスプリング１０７を装着するための凹部１０８が設けられている。
【０００３】
前記オイルシール１０１は、ハウジング１１１と、その内周側であってハウジング１１１と同心である軸１１２との間に配設され、ハウジング１１１に対しては、固定密封部１０４を介して金属環１０２により嵌着され、軸１１２に対しては、シールリップ部１０６の先端部であるリップエッジ１０５が密接するように取り付けられている。そして、リップエッジ１０５の反対側に形成されている凹部１０８に装着されたガータスプリング１０７が径方向内側に締め付けることにより、シールリップ部１０６の先端部であるリップエッジ１０５から大気側傾斜面１０９の所定部分が軸１１２と摺動し、泥水等の異物が大気側Ｂから密封流体側Ａに浸入するのを抑止するとともに、密封流体側Ａのオイルが大気側Ｂに流出するのを防止している。
【０００４】
しかし、上記オイルシール１０１は、軸１１２とオイルシール１０１が相対回転するのでシールリップ部１０６と軸１１２との摺動面から微量のオイルが大気側Ｂに漏れ出す。この漏れたオイルを密封流体側Ａに押し戻し、よりシール効果を高めることを目的として大気側傾斜面１０９に複数の突起を設けたオイルシール、いわゆるネジ付きオイルシールが良く知られている。例えば、実開平２−１０９０７６号公報に記載されているもの等がそれである。このネジ付きオイルシールは、シールリップ部の大気側傾斜面に設けられた複数の突起が、円周方向に対して一定の角度を有するように取り付けられているので、シールリップ部と軸周面との間から漏れ出した微量のオイルを密封流体側に押し戻すように、恰もポンプ機能を果たすように作用し、これによりオイルの大気側へ漏れ出すのをより一層抑止している。
【０００５】
しかしながら、上記考案に開示されている突起は図４に示すような断面形状であって、互いに角度γをなして交差する一対の傾斜側面１２１により構成されているので、密封対象がガソリンや軽油等の低粘度油である場合には、突起１２０間に油膜が形成されず、ポンプ機能が有効に作用しないとの問題点があった。
【０００６】
【特許文献１】実開平０２−１０９０７６号公報
【発明の開示】
【発明が解決しようとする課題】
【０００７】
本発明は以上の点に鑑みて、密封対象がガソリンや軽油等の低粘度油であっても突起によるポンプ機能を作用させることができ、密封効果の高いネジ付きオイルシールを提供することを目的とする。
【課題を解決するための手段】
【０００８】
上記目的を達成するため、本発明の請求項１にかかるオイルシールは、
一の部材と同心に配設された他の部材内に密着する固定密封部と一体成形され前記一の部材に摺動するように設けられたシールリップ部の大気側傾斜面に円周方向に対して一定の傾斜角度をなす複数の突起を設けたオイルシールにおいて、前記突起は、その両側の側面が、それぞれ傾斜角度の異なる２以上の傾斜側面からなり、先端部の両側の傾斜側面が互いになす角度が、突起の基部側における両側の傾斜側面が互いになす角度より小さいことを特徴とするものである。
【発明の効果】
【０００９】
本発明は、以下の効果を奏する。
【００１０】
すなわち、上記構成を備えた本発明のオイルシールにおいては、突起の両側の側面は傾斜角度が異なる２以上の傾斜側面により構成されており、しかも突起の先端部の両側の傾斜側面が互いになす角度が、突起の基部側における両側の傾斜側面が互いになす角度より小さいので、シールリップ部と一の部材の摺接面から漏れ出した微量の密封対象液が、一の部材と突起先端部とで形成される狭まり隙間に供給されやすくなる。また、密封対象液がシールリップ部の大気側傾斜面と突起の基部側の傾斜の小さい傾斜側面による突起付け根角部にも流れ込むので付け根角部への供給量が増大して油膜を形成しポンプ機能を有効に作用させることができるので、密封効果を一層高めることができる。
【発明を実施するための最良の形態】
【００１１】
以下に図面を参照して、この発明の好適な実施の形態を例示して説明する。ただし、この発明の範囲は、特に限定的記載がないかぎりは、この実施の形態に記載されている内容に限定する趣旨のものではない。
【００１２】
図１は、本発明の実施例に係るオイルシール１の要部断面を示しており、以下のように構成されている。
【００１３】
このオイルシール１は、断面Ｌ字状の金属環２と、金属環２を被覆するように加硫接着されているゴム状弾性体からなるシール本体３とから構成されている。シール本体３は、金属環２の外周側に位置する固定密封部４と、金属環２の内周側に位置し先端部にリップエッジ５を有するシールリップ部６から構成されており、シールリップ部６の外周側であって、リップエッジ５の反対側には、ガータスプリング７を装着するための凹部８が設けられている。
【００１４】
上記オイルシール１は、ハウジング１１と、その内周側であってハウジング１１と同心である軸１２との間に配設され、ハウジング１１に対しては、固定密封部４を介して金属環２により嵌着され、軸１２に対しては、シールリップ部６の先端部であるリップエッジ５が密接するように取り付けられている。そして、リップエッジ５の反対側に形成されている凹部８に装着されたガータスプリング７が径方向内側に締め付けることにより、シールリップ部６のシール性を高め、泥水等の異物が大気側Ｂから密封流体側Ａに浸入するのを防止するとともに、密封流体側Ａのオイルが大気側Ｂに漏れ出すのを抑止する作用を果たしている。
【００１５】
更に、上記シールリップ部６の大気側傾斜面９には、複数の突起２１が周方向に所定の間隔でもって、円周方向に対して一定の傾斜角度をなして設けられている。また、突起２１を形成する両側の傾斜側面は、図２に示す通り、それぞれ傾斜角度の異なる２以上の傾斜側面２２，２３を接続したものであって、突起２１の先端部２４の両側の傾斜側面２２，２２が互いになす角度αが、隣接する基部２５側における両側の傾斜側面２３，２３が互いになす角度βより小さくなるように形成されている。例えば、β＝１３０度に対しα＝９０度になるように設定されている。
【００１６】
このように取り付けられたオイルシール１は、ガータスプリング７の弾力性でシールリップ部６のリップエッジ５が軸１２に押圧されシール性が確保されているが、オイルシール１と軸１２とは相対回転するので、シールリップ部６の先端であるリップエッジ５から微量のオイルが密封流体側Ａから大気側Ｂに漏れ出す。しかし、シールリップ部６の大気側傾斜面９には、複数の突起２１が所定の間隔で設けられており、しかも突起２１における両側の傾斜側面は、傾斜角度が異なる２以上の傾斜側面２２，２３を接続したものであって、突起２１の先端部２４の両側の傾斜側面２２，２２が互いになす角度αが、隣接する基部２５側における両側の傾斜側面２３，２３が互いになす角度βより小さくなるように形成されているので、漏れ出した微量のオイルが基部２５側の傾斜側面２３から先端部２４の傾斜側面２２に沿って流れ易くなっている。したがって、オイルが突起２１の先端部が軸周面と形成する狭まり隙間３１に供給され易くなり、シールリップ部６の大気側傾斜面９と突起２１の基部２５側の傾斜の小さい傾斜側面２３による突起付け根角部３２にもオイルの供給量が増大して油膜形成が容易となりポンプ機能を有効に作用させることができる。
【００１７】
なお、傾斜角度は、α＝９０乃至１２０度、β＝１３０乃至１６０度の範囲において、αがβより小さくなる数値を適宜使用条件により設定するものとする。
【００１８】
【００１９】
また、本実施例では、傾斜側面が２種類の場合について説明したが、３種類以上であっても良く、この場合突起の先端部２４を形成する傾斜側面２２とそれに続く傾斜側面２３の構成が上記で説明した構成であれば密封流体はリップ先端の狭まり隙間に供給されるので、更に基部２５側に接続される第３の傾斜側面の傾斜角度はどのような角度であっても良い。
【００２０】
また、上記突起２１の高さは、静止時に密封対象液が漏れ出さない範囲内であって、ポンプ機能が作用する範囲内で適宜選択するものとする。
【図面の簡単な説明】
【００２１】
【図１】本発明に係るオイルシールの一部断面図
【図２】本発明に係る突起部の拡大断面図
【図３】従来例に係るオイルシールの一部断面図
【図４】従来例に係る突起部の拡大断面図
【符号の説明】
【００２２】
１  オイルシール
２  金属環
３  シール本体
４  固定密封部
５  リップエッジ
６  シールリップ部
７  ガータスプリング
８  凹部
９  大気側傾斜面
１１  ハウジング
１２  軸
２１  突起
２２  傾斜側面
２３  基部側傾斜側面
２４  先端部
２５  基部
３１  狭まり隙間
３２  付け根角部
α，β 両側の傾斜側面が互いになす角度
【図１】
0004666132.tif 000002
【図２】
0004666132.tif 000003
【図３】
0004666132.tif 000004
【図４】
0004666132.tif 000005